【手続補正書】
【提出日】平成16年8月27日(2004.8.27)
【手続補正１】
【補正対象書類名】明細書
【補正対象項目名】特許請求の範囲
【補正方法】変更
【補正の内容】
【特許請求の範囲】
【請求項１】
− フレームとともにセルを形成している２枚の面平行の外側基板、
− セル中に存在する正の誘電異方性を有するネマティック液晶混合物、
− 上記外側基板の内側面上に積層されている配向膜を備えており、矩形波形により各    画素をアドレスする電極層、
を備えており、
− 上記外側基板の表面上の分子の長軸と外側基板表面との間のプレチルト角は約１度    〜３０度であり、そして
− 配向膜から配向膜までのセル内の液晶混合物のツイスト角は１００〜６００゜の数    値を有し、
そのネマティック液晶混合物が基本的に、
ａ）＋１．５より大きい誘電異方性を有する２環状または３環状化合物の１種または２    種以上を含有する液晶成分Ａの１５〜５０重量％、
ｂ）−１．５〜＋１．５の誘電異方性を有する２環状または３環状化合物の１種または    ２種以上を含有する液晶成分Ｂの５〜４０重量％、
ｃ）トラン−４，４´−ジイル構造要素を有する化合物の３種または４種以上を含有す る液晶成分Ｔの３０〜８０重量％、および
ｄ）層厚さ（面平行外側基板の隔たり）とキラルネマティック液晶混合物のナチュラル    ピッチとの比が約０．２〜１．３であるような量の光学活性成分Ｄ、
を含有し、かつまた当該ネマティック液晶混合物が少なくとも６０℃のネマティック相範囲を有し、２５ｍＰａ．ｓ．よりも大きくない粘度、少なくとも０．１９５０の複屈折率および少なくとも＋１の誘電異方性を有する高マルチプレックス駆動スーパーツイスト液晶ディスプレイであって（これらの化合物の誘電異方性および当該ネマティック液晶混合物に関連するパラメーターは２０℃の温度に基づくものである）、
上記成分Ｔが式Ｉ：
【化１】
1998088140.tif 000001
式中、Ｒ1はＣ原子１〜８個を有するアルキル、アルコキシ、アルケニルまたはアルケニルオキシであり、
Ｌ1およびＬ2はそれぞれ独立して、ＨまたはＦであり、
Ｒ2はＦ、ＣＦ3、ＯＣＨＦ2またはＯＣＦ3であるか、またはＣ原子１〜８個を有するアルキルまたはアルコキシであり、
Ｚは、−ＣＯＯ−、−ＣＨ2ＣＨ2−または単結合であり、そして
ｐは０または１である、
で表わされる化合物の少なくとも３種を含有し、そして上記成分Ｂが式Ｉ*：
【化２】
1998088140.tif 000002
式中、Ｒ1*はＣ原子１〜８個を有するアルキル、アルコキシ、アルケニルまたはアルケニルオキシであり、そして
Ｒ2*はＨまたはＣ原子１〜５個を有するアルキルである、
で表わされる化合物の少なくとも１種を含有することを特徴とする高度マルチプレックス駆動スーパーツイスト液晶ディスプレイ。
【請求項２】
上記成分Ａが式ＩＩおよび（または）式ＩＩＩ：
【化３】
1998088140.tif 000003
各式中、Ｒは１２個までのＣ原子を有するアルキル、アルコキシ、アルケニルまたはアルケニルオキシであり、
【化４】
1998088140.tif 000004
Ｌ3〜Ｌ8はそれぞれ独立して、ＨまたはＦであり、
Ｚ1は−ＣＯＯ−、−ＣＨ2ＣＨ2−または単結合であり、
Ｚ2は−ＣＯＯ−、−ＣＨ2ＣＨ2−、−Ｃ≡Ｃ−または単結合であり、
ＱはＣＦ2、ＯＣＦ2、ＣＦＨ、ＯＣＦＨまたは単結合であり、
ＹはＦまたはＣｌであり、
ｍは１または２であり、そして
ｎは０または１である、
で表わされる化合物を含有することを特徴とする請求項１に記載のディスプレイ。
【請求項３】
上記成分Ａが式ＩＩａ〜ＩＩｄ：
【化５】
1998088140.tif 000005
各式中、Ｒ、Ｌ1、Ｌ3およびＬ7は請求項２に記載の意味を有する、
から選択される化合物の少なくとも１種を含有することを特徴とする請求項１または２のいずれか１項に記載のディスプレイ。
【請求項４】
上記成分Ｂが式ＩＶ１〜ＩＶ７：
【化６】
1998088140.tif 000006
各式中、Ｒ3およびＲ4はＲについて請求項１に定義されている意味を有する、
を含む群から選択される化合物の１種または２種以上を含有することを特徴とする請求項１〜３のいずれか１項に記載のディスプレイ。
【請求項５】
上記成分Ｂが式ＩＶ８〜ＩＶ２３：
【化７】
1998088140.tif 000007
【化８】
1998088140.tif 000008
各式中、Ｒ3およびＲ4は上記意味を有し、式ＩＶ７〜ＩＶ１７および式ＩＶ２１中に存在する１，４−フェニレン基はそれぞれ相互に独立して、１個または２個以上のフッ素により置換されていてもよい、
を含む群から選択される化合物の１種または２種以上を含有することを特徴とする請求項１〜４のいずれか１項に記載のディスプレイ。
【請求項６】
上記成分Ｔが式Ｉａ〜Ｉｅ：
【化９】
1998088140.tif 000009
各式中、Ｒ1は上記意味を有し、そしてalkylはＣ原子１〜８個を有するｎ−アルキルである、
を含む群から選択される化合物の５種または６種以上を含有することを特徴とする請求項１〜５のいずれか１項に記載のディスプレイ。
【請求項７】
上記成分Ｔが式Ｉａ１：
【化１０】
1998088140.tif 000010
式中、ｍは１または２であり、そしてｎは１〜９の整数である、
で表わされる化合物の１〜５種を含有することを特徴とする請求項１〜６のいずれか１項に記載のディスプレイ。
【請求項８】
上記成分Ｂが式Ｉ*ａ：
【化１１】
1998088140.tif 000011
式中、alkylはＣ原子１〜５個を有する直鎖状アルキル基である、
で表わされる化合物の少なくとも１種を含有することを特徴とする請求項１〜７のいずれか１項に記載のディスプレイ。
【請求項９】
成分Ａが式ＩＩＩｉおよび（または）式ＩＩＩｊ：
【化１２】
1998088140.tif 000012
式中、alkyl´はＣ原子１〜５個を有する直鎖状アルキル基である、
で表わされる化合物の少なくとも１種を含有することを特徴とする請求項１〜８のいずれか１項に記載のディスプレイ。
【請求項１０】
ネマティック液晶混合物が３０〜６０重量％の式Ｉａおよび（または）式Ｉｂで表わされる化合物の少なくとも１種を含有することを特徴とする請求項１〜９のいずれか１項に記載のディスプレイ。
【請求項１１】
請求項１〜１０のいずれか１項に定義されている組成を有する液晶混合物。
【手続補正２】
【補正対象書類名】明細書
【補正対象項目名】００１０
【補正方法】変更
【補正の内容】
【００１０】
そのネマティック液晶混合物が基本的に、
ａ)＋１．５より大きい誘電異方性を有する２環状または３環状化合物の１種または２
種以上を含有する液晶成分Ａの１５〜５０重量％、好ましくは２０〜５０重量％、
ｂ)−１．５〜＋１．５の誘電異方性を有する２環状または３環状化合物の１種または
２種以上を含有する液晶成分Ｂの５〜４０重量％、
ｃ)トラン−４，４´−ジイル構造要素を有する化合物の３種または４種以上を含有す
る液晶成分Ｔの３０〜８０重量％、および
ｄ)層厚さ（面平行外側基板の隔たり）とキラルネマティック液晶混合物のナチュラル
ピッチとの比が約０．２〜１．３であるような量の光学活性成分Ｄ、
を含有し、  
【手続補正３】
【補正対象書類名】明細書
【補正対象項目名】００１４
【補正方法】変更
【補正の内容】
【００１４】
好適な成分Ａは下記式ＩＩおよび（または）式ＩＩＩで表わされる化合物を含有する：
【化１５】
1998088140.tif 000013
各式中、Ｒは１２個までのＣ原子を有するアルキル、アルコキシ、アルケニルまたはアルケニルオキシであり、
【手続補正４】
【補正対象書類名】明細書
【補正対象項目名】００３２
【補正方法】変更
【補正の内容】
【００３２】
好ましくは、成分Ｂは式Ｉ*で表わされる化合物の少なくとも１種および２個の環を有する下記式ＩＶ１〜ＩＶ７を含む群から選択される化合物の１種または２種以上を含有し：
【化２６】
1998088140.tif 000014
【手続補正５】
【補正対象書類名】明細書
【補正対象項目名】００３４
【補正方法】変更
【補正の内容】
【００３４】
各式中、Ｒ3およびＲ4はＲについて上記した意味を有する、
および（または）３個の環を有する下記式ＩＶ８〜ＩＶ２３を含む群から選択される化合物の１種または２種以上を含有する：
【化２８】
1998088140.tif 000015
【手続補正６】
【補正対象書類名】明細書
【補正対象項目名】００３６
【補正方法】変更
【補正の内容】
【００３６】
各式中、Ｒ3およびＲ4は前記意味を有し、ＩＶ７〜ＩＶ１７およびＩＶ２１中に存在する１，４−フェニレン基はそれぞれ相互に独立して、また置換基として１個または２個以上のフッ素を有していてもよい。
成分Ｂが１種または２種以上の２環状化合物を１０％よりも多い量で含有する場合には、このネマティック混合物は、１種または２種以上の、好ましくは１種のみの下記式ＩＶ２４〜ＩＶ２９を含む群から選択される化合物をさらに含有する：